(57)【特許請求の範囲】
【請求項１】
受信装置で行うデータ受信方法において、
ネットワークを介してサーバに接続し、前記サーバからダウンロードのためにデータを受信する段階と、
前記データの受信の開始と共に、データが受信中であるか否かを指す受信進行表示識別子、前記データを伝送する前記サーバを識別するサーバ識別情報、前記受信されたデータが保存される前記受信装置内の位置を表示する位置識別情報を含む、不揮発性メモリに記憶されるダウンロード情報を生成する段階と、
中断事由により前記サーバとの接続が解除され、前記データの受信が中断され後であって、前記中断事由の解消後、前記ダウンロード情報に含まれている受信進行表示識別子に基づいて受信が完了していないデータがあると判断して、前記ダウンロード情報に含まれているサーバ識別情報に基づいて前記サーバに再接続する段階と、
前記再接続されたサーバからデータを受信する段階と、を含み、
前記再接続されたサーバから前記データを受信する段階は、
既に受信したデータに後続するデータから受信する段階を含むことを特徴とするデータ受信方法。
【請求項２】
前記データの伝送が完了すれば、前記ダウンロード情報を廃棄する段階をさらに含むことを特徴とする請求項１に記載のデータ受信方法。
【請求項３】
前記受信装置の電源がオフになれば、前記サーバとの接続が解除され、
前記ダウンロード情報を利用して前記サーバに再接続する段階は、前記電源がオンになった場合に行われることを特徴とする請求項１に記載のデータ受信方法。
【請求項４】
前記後続するデータから受信する段階は、
前記伝送されるデータの全体容量及び既伝送のデータの容量を利用し、前記後続するデータを把握する段階を含むことを特徴とする請求項１に記載のデータ受信方法。
【請求項５】
前記サーバに再接続する段階は、
ユーザから前記受信が中断されたデータに対する再伝送を要請される段階と、
前記再伝送の要請に相応して前記サーバに再接続する段階と、を含むことを特徴とする請求項１に記載のデータ受信方法。
【請求項６】
前記生成されたダウンロード情報を、前記受信装置内部の非活性メモリに保存する段階をさらに含むことを特徴とする請求項１に記載のデータ受信方法。
【請求項７】
前記非活性メモリは、ＲＯＭ、ＲＡＭ、フラッシュメモリのうち、いずれか一つ以上を含むことを特徴とする請求項６に記載のデータ受信方法。
【請求項８】
前記サーバ識別情報は、
前記サーバのＵＲＬであることを特徴とする請求項１に記載のデータ受信方法。
【請求項９】
前記データを受信する段階は、前記データを前記受信装置に含まれたローカルストレージ内の所定のフォルダに保存する段階を含み、
前記位置識別情報は、前記フォルダを識別する情報であることを特徴とする請求項８に記載のデータ受信方法。
【請求項１０】
前記データを受信する段階は、前記データを前記受信装置に挿入されたディスク内の所定フォルダに保存する段階を含み、
前記位置識別情報は、前記ディスク及び前記ディスク内のフォルダを識別する情報であることを特徴とする請求項８に記載のデータ受信方法。
【請求項１１】
前記ダウンロード情報を利用して前記サーバに再接続する段階は、
前記受信進行表示識別子を利用し、受信が完了していないデータがあることを判断する段階と、
前記サーバのＵＲＬを利用し、前記サーバに接続する段階と、を含み、
前記再接続されたサーバから前記データを受信する段階は、前記位置識別情報を利用し、前記ローカルストレージ内の既に受信したデータを保存したフォルダを識別し、前記再接続されたサーバから受信されるデータを、前記フォルダに保存する段階を含むことを特徴とする請求項９に記載のデータ受信方法。
【請求項１２】
通信網を介してサーバに接続し、前記サーバからダウンロードのためにデータを受信するための通信部と、
前記サーバから受信したデータを保存するためのデータ保存部と、
前記データの受信の開始と共に、データが受信中であるか否かを指す受信進行表示識別子、前記データを伝送する前記サーバを識別するサーバ識別情報、前記受信されたデータが保存される当該データ受信装置内の位置を表示する位置識別情報を含む、不揮発性メモリに記憶されるダウンロード情報を生成し、さらに、当該データ受信装置全般を制御し、当該データ受信装置をして前記サーバから前記データを受信させ、当該データ受信装置が前記サーバとの接続が解除され、前記データの受信が中断され後であって、中断事由の解消後、前記ダウンロード情報に含まれている受信進行表示識別子に基づいて受信が完了していないデータがあると判断して、前記ダウンロード情報に含まれているサーバ識別情報に基づいて前記サーバに再接続し、さらに、既に受信したデータに後続するデータを受信するための制御部と、を含むことを特徴とするデータ受信装置。
【請求項１３】
前記制御部は、
前記データの伝送が完了すれば、前記ダウンロード情報を廃棄させることを特徴とする請求項１２に記載のデータ受信装置。
【請求項１４】
当該データ受信装置の電源がオフになる場合、前記サーバとの接続が解除され、前記電源が再びオンになった場合、前記サーバに再接続することを特徴とする請求項１２に記載のデータ受信装置。
【請求項１５】
前記制御部は、
前記伝送されるデータの全体容量及び既伝送のデータの容量を利用し、後続して受信するデータを把握し、前記通信部が前記後続するデータを受信させることを特徴とする請求項１２に記載のデータ受信装置。
【請求項１６】
ユーザ・インターフェースをさらに含み、
前記制御部は、前記ユーザ・インターフェースを介して、ユーザから前記受信が中断されたデータに対して再受信を要請される場合、前記通信部を前記サーバに再接続させることを特徴とする請求項１２に記載のデータ受信装置。
【請求項１７】
前記生成されたダウンロード情報を保存するダウンロード情報保存部をさらに含み、
前記ダウンロード情報保存部は、ＲＯＭ、ＲＡＭ、フラッシュメモリのうち、少なくとも一つを含む非活性メモリであることを特徴とする請求項１２に記載のデータ受信装置。
【請求項１８】
前記サーバ識別情報は、
前記サーバのＵＲＬであることを特徴とする請求項１２に記載のデータ受信装置。
【請求項１９】
前記データ保存部はローカルストレージであり、
前記サーバから受信されるデータは、前記ローカルストレージ内の所定フォルダに保存されることを特徴とする請求項１８に記載のデータ受信装置。
【請求項２０】
前記制御部は、
前記受信進行表示識別子を利用し、受信が完了していないデータが存在すると決定し、前記サーバのＵＲＬを利用して前記サーバに接続させ、前記位置識別情報を利用し、前記ローカルストレージ内の既に受信したデータが保存されたフォルダを識別し、前記再接続されたサーバから受信されるデータが前記フォルダに保存されるように、前記受信装置を制御することを特徴とする請求項１９に記載のデータ受信装置。
【請求項２１】
通信網を介してサーバに接続し、前記サーバからダウンロードのためにデータを受信する段階と、
前記データの受信の開始と共に、データが受信中であるか否かを指す受信進行表示識別子、前記データを伝送する前記サーバを識別するサーバ識別情報、前記受信されたデータが保存される受信装置内の位置を表示する位置識別情報を含む、不揮発性メモリに記憶されるダウンロード情報を生成する段階と、
中断事由により前記サーバとの接続が解除され、前記データの受信が中断され後であって、前記中断事由の解消後、前記ダウンロード情報に含まれている受信進行表示識別子に基づいて受信が完了していないデータがあると判断して、前記ダウンロード情報に含まれているサーバ識別情報に基づいて前記サーバに再接続する段階と、
前記再接続されたサーバから残ったデータを受信する段階と、を含み、
前記再接続されたサーバから前記データを受信する段階は、
既に受信したデータに後続するデータから受信する段階を含むデータの受信方法を実行するためのプログラムを保存したコンピュータで読み取り可能な記録媒体。
【発明の詳細な説明】
【技術分野】
【０００１】
本発明は、データ受信方法及び装置に係り、さらに具体的には、サーバからデータを受信していてサーバとの接続が解除された場合、サーバに再接続し、受信したデータを続けて受信するデータ受信方法及び装置に関するものである。
【背景技術】
【０００２】
デジタル技術の発達によって、デジタルテレビ、コンピュータ、携帯電話、デジタルカメラ、ＰＤＡ（personal  digital  assistants）、ＭＰ３プレーヤ、ＰＭＰ（portable  media  player）など、各種メディア信号再生装置が広く普及している。かようなメディア信号再生装置は、通信網を介して他の機器からメディア信号を受信したり、放送受信機を介して放送情報を受信し、受信された情報を再生することができる。または、かような再生装置は、情報が記録された記録媒体が機器内部に挿入される場合、記録媒体に保存された情報を読み出して再生できる。かようなメディア信号再生装置は、情報を記録するための記録媒体として、大容量のデータを記録できる光ディスクを利用できる。ＤＶＤ（digital  versatile  disc）、ＢＤ（blue-ray  disc）などを含む光ディスクのように、何種もの類型の情報を保存する記録媒体は、メディア信号再生装置で使われうる。メディア信号再生装置は、記録媒体挿入部以外に、ローカルストレージ（local  storage）を別途に具備できる。ローカルストレージは、ネットワークを介してデータを保存しているサーバやデータベースに接続し、データをダウンロードされて保存することができる。従って、メディア信号再生装置は、再生装置に挿入された記録媒体に記録されているデータを再生することもでき、ローカルストレージに保存されているデータを独立して再生こともできる。また、メディア信号再生装置は、記録媒体に記録されているデータ及びローカルストレージに保存されているデータを混合し、新しいデータを作って再生することもできる。ＢＤのような記録媒体を再生するメディア信号再生装置は、前述のローカルストレージを介して、記録媒体に記録されたデータとは別途のＡＶデータやアプリケーション・プログラムなどをダウンロードすることができる。
【０００３】
メディア信号再生装置が通信網を介して外部のサーバに接続し、そのサーバからデータを受信している最中、停電などの事由によって、再生装置の電源がオフ（off）になる場合、サーバとの接続もまた解除されてデータ受信が中断される。停電などの事由が終了して再生装置の電源がオン（on）になり、再生装置が再びデータを受信することができる状態になっても、すでにサーバとの接続が解除されたために、メディア信号再生装置は、以前に接続していたサーバの位置を再び探し、そのサーバにネットワークを介して再び連結しなければならない。ユーザは、メディア信号再生装置をそのサーバに再び接続させ、データに対して再び受信を要請してこそ、所望のデータを受信することができる。また、再生装置は、既保存のデータ以後からのデータを受信することができるわけではなく、データを始めから再び受信しなければならないという点で、データ受信による時間が長くなる。また、受信が中断されたデータは、フラグメント（fragment）として受信装置のメモリに残り、続けて他のデータを保存することを妨害し、データ保存及び再生速度を遅くするという問題がある。
【発明の概要】
【発明が解決しようとする課題】
【０００４】
本発明は、前述の問題点を解決するために案出されたものであり、受信装置が通信網を介してサーバからデータを受信する場合、データ受信についてのダウンロード情報を生成し、これを不揮発性メモリに保存することによって、停電などの事由によって電源がオフ（off）になってサーバとの接続が解除される場合にも、既保存のダウンロード情報を利用してそのサーバに再び接続し、データを受信することができるデータ受信方法及び装置を提供することを目的とする。
【０００５】
本発明の他の目的は、サーバとの接続が解除されてデータ受信が中断される場合、そのサーバに再接続し、既受信のデータ以後からのデータを受信することができるデータ受信方法及び装置を提供することを目的とする。
【課題を解決するための手段】
【０００６】
前記課題を解決するために、本発明の一側面によれば、通信網を介してサーバに接続し、前記サーバからダウンロードのためにデータを受信する段階と、
前記データの受信の開始と共に、データが受信中であるか否かを指す受信進行表示識別子、前記データを伝送する前記サーバを識別するサーバ識別情報、前記受信されたデータが保存される前記受信装置内の位置を表示する位置識別情報を含む、不揮発性メモリに記憶されるダウンロード情報を生成する段階と、
中断事由により前記サーバとの接続が解除され、前記データの受信が中断され後であって、前記中断事由の解消後、前記ダウンロード情報に含まれている受信進行表示識別子に基づいて受信が完了していないデータがあると判断して、前記ダウンロード情報に含まれているサーバ識別情報に基づいて前記サーバに再接続する段階と、
前記再接続されたサーバからデータを受信する段階と、を含み、
前記再接続されたサーバから前記データを受信する段階は、
既に受信したデータに後続するデータから受信する段階を含むことを特徴とするデータ受信方法を提供できる。
【０００７】
望ましい実施形態で、前記データ伝送が完了すれば、前記ダウンロード情報を廃棄する段階をさらに含むことを特徴とする。また、前記サーバとの接続が解除される段階は、前記受信装置の電源がオフになる場合を含み、前記ダウンロード情報を利用して前記サーバに再接続する段階は、前記電源が再びオンになった場合に行われることを特徴とする。また、既に受信したデータに後続するデータから受信する段階は、前記伝送されるデータの全体容量及び既伝送のデータの容量を利用し、既に受信したデータに後続するデータを把握する段階を含むことを特徴とする。また、前記サーバに再接続する段階は、ユーザから前記受信が中断されたデータに対する再伝送を要請される段階、及び前記再伝送要請に相応して前記サーバに再接続する段階を含むことを特徴とする。また、前記方法は、生成されたダウンロード情報を、前記受信装置内部の非活性メモリに保存する段階をさらに含むことを特徴とする。また、前記非活性メモリは、ＲＯＭ、ＲＡＭ、フラッシュメモリのうち、いずれか一つ以上を含むことを特徴とする。また、前記サーバ識別情報は、前記サーバのＵＲＬであることを特徴とする。また、前記データを受信する段階は、前記データを前記受信装置に含まれたローカルストレージ内の所定のフォルダに保存する段階を含み、前記位置識別情報は、前記フォルダを識別する情報であることを特徴とする。また、前記データを受信する段階は、前記データを前記受信装置に挿入されたディスク内の所定フォルダに保存する段階を含み、前記位置識別情報は、前記ディスク及び前記ディスク内のフォルダを識別する情報であることを特徴とする。また、前記ダウンロード情報を利用して前記サーバに再接続する段階は、前記受信進行表示識別子を利用し、受信が完了していないデータがあることを感知する段階、及び前記サーバのＵＲＬを利用し、前記サーバに接続する段階を含み、前記再接続されたサーバから前記データを受信する段階は、前記位置識別情報を利用し、前記ローカルストレージ内の既に受信したを保存したフォルダを識別し、前記再接続されたサーバから受信されるデータを、前記フォルダに保存する段階を含むことを特徴とする。
【０００８】
本発明の他の側面によれば、通信網を介してサーバに接続し、前記サーバからダウンロードのためにデータを受信するための通信部と、
前記サーバから受信したデータを保存するためのデータ保存部と、
前記データの受信の開始と共に、データが受信中であるか否かを指す受信進行表示識別子、前記データを伝送する前記サーバを識別するサーバ識別情報、前記受信されたデータが保存される前記受信装置内の位置を表示する位置識別情報を含む、不揮発性メモリに記憶されるダウンロード情報を生成し、さらに、前記受信装置全般を制御し、前記受信装置をして前記サーバから前記データを受信させ、前記受信装置が前記サーバとの接続が解除され、前記データの受信が中断され後であって、中断事由の解消後、前記ダウンロード情報に含まれている受信進行表示識別子に基づいて受信が完了していないデータがあると判断して、前記ダウンロード情報に含まれているサーバ識別情報に基づいて前記サーバに再接続し、さらに、既に受信したに後続するデータを受信するための制御部と、を含むことを特徴とするデータ受信装置を提供できる。
【０００９】
本発明のさらに他の側面によれば、通信網を介してサーバに接続し、前記サーバからダウンロードのためにデータを受信する段階と、
前記データの受信の開始と共に、データが受信中であるか否かを指す受信進行表示識別子、前記データを伝送する前記サーバを識別するサーバ識別情報、前記受信されたデータが保存される前記受信装置内の位置を表示する位置識別情報を含む、不揮発性メモリに記憶されるダウンロード情報を生成する段階と、
中断事由により前記サーバとの接続が解除され、前記データの受信が中断され後であって、前記中断事由の解消後、前記ダウンロード情報に含まれている受信進行表示識別子に基づいて受信が完了していないデータがあると判断して、前記ダウンロード情報に含まれているサーバ識別情報に基づいて前記サーバに再接続する段階と、
前記再接続されたサーバから残ったデータを受信する段階と、を含み、
前記再接続されたサーバから前記データを受信する段階は、
既に受信したに後続するデータから受信する段階を含むデータの受信方法を実行するためのプログラムを保存したコンピュータで読み取り可能な記録媒体を提供できる。
【００１１】
本発明の付加的な側面及び／または利点は、以下の明細書に記載されたり、あるいは明細書に記載された事項から自明であるか、または発明の実施によって熟知されるであろう。
【発明の効果】
【００１２】
本発明によれば、ダウンローディング装置が通信網を介してサーバからデータを受信する場合、データ受信に係わるダウンロード情報を生成し、これを不揮発性メモリに保存することにより、停電などの事由によって電源がオフになって、サーバとの接続が解除される場合にも、既保存のダウンロード情報を利用し、そのサーバに再び接続してデータを受信できるデータ受信方法及び装置を提供できる。
【００１３】
また、本発明によれば、サーバとの接続が解除され、データ受信が中断される場合、そのサーバに再接続し、既受信のデータ以後からのデータを受信できるデータ受信方法及び装置を提供可能である。
【図面の簡単な説明】
【００１４】
【図１】本発明の一実施形態によるデータ受信装置のブロック図である。
【図２】本発明の一実施形態によるダウンロード情報を示した図である。
【図３Ａ】本発明の一実施形態によって、データ・ダウンローディング装置の出力部に出力されるＯＳＤ（on  screen  display）画面を図示した図である。
【図３Ｂ】本発明の一実施形態によって、データ・ダウンローディング装置の出力部に出力されるＯＳＤ（on  screen  display）画面を図示した図である。
【図４】本発明の一実施形態によるデータ受信方法を示したフローチャートである。
【図５】本発明の他の実施形態によるデータ受信方法を示したフローチャートである。
【発明を実施するための形態】
【００１５】
本出願は、２００８年１月２日に韓国特許庁に出願された韓国出願番号２００８−１６１号に対して優先権を主張する。該韓国出願に係わる説明が、本出願内容に含まれている。
【００１６】
以下、添付された図面を参照しつつ、本発明の望ましい実施形態について詳細に説明する。
【００１７】
図１は、本発明の一実施形態によるダウンローディング装置１００である。図１を参照するに、本発明によるダウンローディング装置１００、通信網２００を介してサーバ３００と接続し、サーバ３００からデータを受信する。通信網２００は、ＬＡＮ（local  area  network）のような個人ネットワークや、インターネットのような公共ネットワークを含む、有線または無線の通信網を含む。
【００１８】
ダウンローディング装置１００は、ユーザ・インターフェース１１０、通信部１２０、データ保存部１３０、ダウンロード情報保存部１６０及び制御部１８０を含む。場合によっては、ダウンローディング装置１００は、データを処理するための信号処理部１４０、信号処理されたデータを出力するための出力部１５０、挿入された記録媒体からデータを読み取る読取り部１７０をさらに含むことができる。本発明の他の側面によれば、ダウンローディング装置１００は、付加的であり、かつ／または他のユニットを含むことができる。同様に、前記ユニットのうち二つ以上の機能が１つの成分に集積されうる。
【００１９】
ユーザ・インターフェース１１０は、ユーザとのインターフェースを担当するところであり、ユーザは、ユーザ・インターフェース１１０を介して制御部１８０に命令を伝達する。ユーザ・インターフェース１１０は、キーボード、マウス、タッチスクリーンまたはマイクロホンのような物理的変換器（physical  transducer）などを含み、ユーザから命令、文字、数字または音声情報などを入力され、前記情報を制御部１８０に知らせる。
【００２０】
通信部１２０は、有線または無線の通信網２００を利用し、サーバ３００またはデータベース（図示せず）に接続し、それらと有線または無線の通信を行う。通信部１２０が無線通信技術を行う場合、通信部１２０は、無線信号送受信部（図示せず）、基底帯域処理部（図示せず）及びリンク制御部（図示せず）を含むことができる。基底帯域処理部及びリンク制御部は、ＨＣＩ（host  control  interface）によって制御部１８０に連結され、ＨＣＩパケット（packet）を送信及び受信することによって、制御命令と送受信データとを授受する。無線通信方法としては、無線ＬＡＮ（ＷＬＡＮ）、ブルーツース（bluetooth）、ジグビー（zigbee）、ワイブロ（ＷｉＢｒｏ）の技術などが利用されうる。
【００２１】
データ保存部１３０は、通信部１２０がサーバ３００やデータベースから、通信網２００を介して受信したデータをダウンロードして保存する。データ保存部１３０は、ローカルストレージ（local  storage）（図示せず）を含む。データ保存部１３０は、サーバ３００などから受信したデータをデータ保存部１３０内の所定のフォルダに保存する。場合によっては、ダウンローディング装置１００に挿入される記録媒体１７５内の所定フォルダに、ダウンロードしたデータが保存されもする。ダウンローディング装置１００の電源がオフ（off）になるなどの事由によって、ダウンローディング装置１００とサーバ３００との接続が解除されたり、永久的に損傷された場合、そしてダウンローディング装置１００が再び同一サーバ３００に接続されてデータを受信するようになる場合、データ保存部１３０は、既受信のデータが保存された所定フォルダに新しく受信されるデータを保存することができる。サーバ３００から受信されるデータが、既受信のデータと同じ場合には、既受信のデータに上書きして保存することができ、サーバ３００から受信されるデータが既受信のデータに後続するデータである場合、同一フォルダ内で、既受信のデータが保存された空間に連続して、新しく受信されるデータを保存することができる。データ保存部１３０は、受信されたデータを信号処理部１４０に伝送する。
【００２２】
ダウンロード情報保存部１６０は、データ受信についてのダウンロード情報を保存する。制御部１８０は、通信部１２０がサーバ３００やデータベースに接続し、データを受信し始めるようになれば、ダウンロード情報を生成する。ダウンロード情報は、データ受信についての情報であり、ダウンローディング装置１００が現在データをダウンロードされていることを表示する情報、ダウンローディング装置１００にデータを伝送しているサーバを識別するための情報、及び受信されたデータが保存されるデータ保存部１３０の所定位置を表示する情報を含むことができる。制御部１８０は、生成されたダウンロード情報をダウンロード情報保存部１６０に保存する。ダウンロード情報保存部１６０は、停電またはユーザの誤作動によって電源がオフになるような事由が発生する場合にも、保存された情報が消されない非活性メモリであることが望ましい。非活性メモリとしては、ＲＯＭ（read-only  memory）やフラッシュメモリなどがある。ＲＡＭ（random-access  memory）は、は電源が途切れれば情報が喪失されていたが、最近には、電源が途切れても情報が喪失されないＲＡＭが開発された。従って、本発明で、ダウンロード情報保存部１６０は、不揮発性であるＲＡＭを含む。
【００２３】
制御部１８０は、ダウンローディング装置１００全般の動作を制御し、本発明の実施形態によるデータ受信方法を行わせる。制御部１８０は、計算を行うためのＡＬＵ（arithmetic  logic  unit）、データ及び命令語の一時的な保存のためのレジスタ（図示せず）を含む。ダウンローディング装置１００に記録媒体１７５がローディングされ、記録媒体１７５に記録されたデータの再生に必要なプログラムなどがある場合、またはユーザがユーザ・インターフェース１１０を介して、所定のデータをダウンロードすることを命令すれば、制御部１８０は、通信部１２０を所定のサーバ３００に接続させ、必要とするプログラムなどをダウンロードさせる。制御部１８０は、データ受信が始まれば、データ受信についてのダウンロード情報を生成し、生成されたダウンロード情報をダウンロード情報保存部１６０に保存させる。データ受信が完了していない状態で、ユーザがサーバ３００との接続を解除させたり、停電などの事由によって、サーバ３００との接続が強制的に終了し、その後、ダウンローディング装置１００が再びサーバ３００に接続できる状態になれば、制御部１８０は、ダウンロード情報保存部１６０に保存されているダウンロード情報を利用し、受信したデータがあることを識別する。制御部１８０は、ダウンロード情報がダウンロード情報保存部１６０に保存されている場合、受信が完了していないデータがあることを識別できる。この場合、制御部１８０は、出力部１５０のＯＳＤ（on screen display）処理部（図示せず）を制御し、受信中であったデータを続けて受信するか否かを問うＯＳＤデータを生成させてこれを出力させる。
【００２４】
もしユーザが、ユーザ・インターフェース１１０を介して、受信中であったデータを続けて受信することを要請すれば、制御部１８０は、ダウンロード情報を利用してサーバ３００を識別し、通信部１２０が識別されたサーバ３００に再接続し、データを受信させる。制御部１８０は、ダウンロード情報を利用し、データ保存部１３０または記録媒体１７５内に既受信のデータが保存された位置がどこであるかを識別し、その位置に連続してデータがダウンロードされて保存させる。制御部１８０は、データ受信が完了すれば、ダウンロード情報を廃棄する。もしユーザがデータをダウンロードしないことを決定すれば、ダウンロード情報は削除され、もしユーザがデータを後で再びダウンロードすることに決定した場合、ダウンロード情報は、維持されるのである。
【００２５】
読取り部１７０は、ダウンローディング装置１００に記録媒体１７５がローディングされ、ユーザがユーザ・インターフェース１１０を介して、記録媒体１７５に記録されたデータを出力することを要請すれば、記録媒体１７５からデータを読み取り、読み取られたデータを信号処理部１４０に送る。
【００２６】
信号処理部１４０は、読取り部１７０が読み取った記録媒体１７５のデータ、またはデータ保存部１３０に保存されたデータをデコーディングし、出力部１５０が出力できるフォーマットに変形し、変形された信号を出力部１５０に送る。
【００２７】
出力部１５０は、ダウンローディング装置１００の全般的な状態や、ユーザがユーザ・インターフェース１１０を介して入力した情報などを画面やスピーカーを介して出力する。出力部１５０は、ビデオ信号を出力するディスプレイ部（図示せず）、オーディオ信号を出力するスピーカ（図示せず）などを含むことができる。出力部１５０は、ダウンローディング装置１００に挿入された記録媒体１７５から読み取られた情報を出力したり、サーバ３００などからダウンロードされたデータを出力する。出力部１５０は、ユーザ制御目録などを生成し、これを出力するＯＳＤ処理部を含むことができる。すなわち、出力部１５０は、ダウンローディング装置１００がサーバ３００からデータをダウンロードされていて、ダウンロードが完了していない状態でサーバ３００との接続が解除される場合、サーバ３００に再接続を行い、ダウンロードを続けることを願うか否かを問う画面を生成し、これをユーザに出力できる。ユーザが、サーバ３００に再接続してデータ受信を続けることを命令すれば、ダウンローディング装置１００は、データダウンロードを始め、出力部１５０は、データを再受信することを知らせる情報を出力する。ユーザが、サーバ３００に再接続してダウンロードすることを願わない場合、ダウンローディング装置１００は、既受信のデータを削除し、出力部１５０は既受信の保存されていたデータを削除するという内容のメッセージを出力する。
【００２８】
図２は、本発明の一実施形態によるダウンロード情報を示した図である。ダウンロード情報は、受信進行表示識別子２１０、サーバ識別情報２２０及び位置識別情報２３０を含む。受信進行表示識別子２１０は、ダウンローディング装置１００が所定のデータを受信していることを表示する。サーバ３００との接続が解除された後、再びサーバとの接続が可能である状態になれば、制御部１８０は、受信進行表示識別子２１０を感知し、受信継続中であったデータがあると決定できる。受信進行表示識別子２１０は、受信中であるデータがあることを知らせる情報であるから、受信進行表示識別子２１０は、１ビットで表現されうる。
【００２９】
サーバ識別情報２２０は、データを伝送するサーバ３００を識別するための情報である。ダウンローディング装置１００は、多様なサービスを提供する数多くのサーバから必要な情報を獲得できる。従って、ダウンローディング装置１００は、データを受信する場合、そのデータがどのサーバから受信されるものであるかを知っていてこそ、後で再びそのサーバに接続できる。サーバ識別情報２２０は、サーバのＵＲＬ(uniform  resource  locator)になりうる。ＵＲＬは、ウェブ上でサービスを提供する各サーバにあるファイルの位置を明示し、接続しなければならないサービスの種類、サーバの位置（ドメインネーム）、ファイルの位置を含む。
【００３０】
位置識別情報２３０は、受信されたデータが保存されるダウンローディング装置１００内の位置を表示するための情報である。データ受信が中断された後、既受信のデータ以後のデータから受信する場合、受信されるデータを既保存のデータに連続して保存するためには、既受信のデータがどの位置に保存されているかを知らなればならない。データは、データ保存部１３０にダウンロードされることもあり、場合によっては、ダウンローディング装置１００に挿入された記録媒体１７５にダウンロードされることもある。データが、データ保存部１３０内の所定フォルダに保存される場合、位置識別情報２３０は、そのフォルダ名になりうる。データがローディングされた記録媒体１７５内の所定フォルダに保存される場合には、位置識別情報２３０は、その記録媒体１７５を識別するための情報、例えば、記録媒体の固有ＩＤ、及びその記録媒体１７５内部にデータが保存される所定フォルダ名になりうる。
【００３１】
図３は、本発明の一実施形態による、出力部に出力されるＯＳＤ画面を図示した図である。サーバ３００との接続が解除されてデータ受信が解除された後、ダウンローディング装置１００がサーバ３００に再び接続されうる状態になれば、制御部１８０は、ダウンロード情報保存部１６０に保存された受信進行表示識別子２１０を基に、受信が完了していないデータがあると判断する。制御部１８０は、出力部１５０のＯＳＤ処理部を制御し、受信が完了していないデータ受信を再び進めるか否かを問うＯＳＤ画面３１０，３３０を生成させ、生成されたＯＳＤ画面３１０，３３０を出力させる。ユーザは、出力部１５０を介して出力されるＯＳＤ画面３１０，３３０を介して、受信中であったデータがあることを識別できる。ユーザがデータを受信しないことを命令すれば、ＯＳＤ処理部は、既受信のデータを削除するという内容のＯＳＤ画面３２０を生成し、これを出力する。ユーザが、データに係わる受信を続けることを命令すれば、ＯＳＤ処理部は、データ再受信を始めるという内容のＯＳＤ画面３４０を生成し、これを出力する。
【００３２】
図４は、本発明の一実施形態によるデータ受信方法を示したフローチャートである。ダウンローディング装置１００は、ユーザの命令によって、通信網２００を介して特定サーバ３００に接続し、そのサーバ３００にデータ伝送を要請する（段階４０１）。ダウンローディング装置１００は、そのサーバ３００からデータを受信する（段階４０３）。ダウンローディング装置１００の制御部１８０は、データ受信が始まれば、ダウンロード情報を生成し、これをダウンロード情報保存部１６０に保存する（段階４０５）。サーバ３００との接続が解除され（段階４０７）、その後、サーバ３００との接続が可能になれば、制御部１８０は、ダウンロード情報を利用し、電源がオフになる前にダウンロードしていたデータがあり、ダウンロードが完了していない状態でサーバとの接続が解除されていたことを認識する。ユーザが、ダウンロードが完了していないデータを再びダウンロードすることを命令すれば、制御部１８０は、ダウンロード情報のうちサーバ識別情報２２０を利用し、既接続のサーバ３００を識別する。ダウンローディング装置１００は、識別されたサーバ３００に再接続し（段階４０９）再接続したサーバ３００から既受信のデータに後続するデータからをダウンロードする（段階４１１）。制御部１８０は、データ受信が完了すれば、ダウンロード情報を廃棄する（段階４１３）。
【００３３】
図５は、本発明の他の実施形態によるデータ受信方法を示したフローチャートである。図５を参照するに、制御部１８０は、電源がオン（on）になる場合、ダウンローディング装置１００にダウンロード情報が保存されているか否かを判断する（段階５０１）。制御部１８０は、ダウンローディング装置１００内部のダウンロード情報保存部１６０に、ダウンロード情報が保存されている場合、またはダウンロード情報に受信進行表示識別子２１０が含まれていることを感知する場合、サーバ３００にダウンローディング装置１００が再連結される前に、ダウンロードが完了していないデータがあることを感知する（段階５０３）。ダウンローディング装置１００は、データをダウンロードするか否かを問うＯＳＤ画面を生成し、これを出力する（段階５０５）。ダウンローディング装置１００は、ユーザからデータ受信を続けることを命令されれば、ダウンロード情報に含まれたサーバ識別情報２２０を抽出し、既接続のサーバ３００に再接続する（段階５０７）。制御部１８０は、伝送されねばならないデータの全体容量、既伝送のデータの容量を利用し、受信しなければならないデータがどこからであるかを把握できる。ダウンローディング装置１００は、ダウンロード情報に含まれた位置識別情報を利用し、既受信のデータが保存された位置を把握し、既受信のデータに後続するデータから、既受信のデータが保存されたフォルダにダウンロードする（段階５０９）。ダウンローディング装置１００は、ユーザからデータ受信を続けないことを命令されれば、既受信のデータを削除する（段階５１１）。既受信のデータを削除することによって、既受信のデータ・フラグメンテーションによるデータ保存及び再生の速度低下という問題点が解決されうる。
【００３４】
本発明のいくつかの実施形態について説明したが、特許請求の範囲で定義された発明の思想と原理とを外れない範囲内で、本発明が属する技術分野で当業者によって、実施形態について変形が可能であろう。
【図１】
0005543369.tif 000002
【図２】
0005543369.tif 000003
【図３Ａ】
0005543369.tif 000004
【図３Ｂ】
0005543369.tif 000005
【図４】
0005543369.tif 000006
【図５】
0005543369.tif 000007